【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
情報処理装置及び印刷装置と通信可能な印刷制御装置であって、
前記印刷装置及び前記印刷制御装置をシャットダウンさせるための第１の指示を前記情報処理装置から受信する第１受信手段と、
前記印刷装置から前記印刷装置のデバイス情報を取得する取得手段と、
前記第１受信手段が前記第１の指示を受信したことに基づいて、前記印刷装置をシャットダウンさせるための第２の指示を前記印刷装置に送信する送信手段と、
前記送信手段によって送信された前記第２の指示に対する応答を、前記印刷装置から受信する第２受信手段と、
前記第２受信手段が前記第２の指示に対する応答を受信したことに基づいて、前記印刷制御装置のシャットダウンを実行する実行手段と、を有し、
前記送信手段は、前記取得手段によって取得された前記印刷装置のデバイス情報に基づいて、前記第２の指示を送信するかどうかを決定し、前記第２の指示を送信すると決定した場合に前記第２の指示を前記印刷装置に送信する、ことを特徴とする印刷制御装置。
【請求項２】
前記送信手段は、一定間隔で前記第２の指示を送信し続ける、ことを特徴とする請求項１に記載の印刷制御装置。
【請求項３】
前記デバイス情報は、前記印刷装置におけるジョブの実行状況を示す情報、及び、前記印刷装置がリモートシャットダウン可能であるか否かを示す情報、の少なくとも１つを含む、ことを特徴とする請求項１又は２に記載の印刷制御装置。
【請求項４】
前記実行手段が前記印刷制御装置のシャットダウンを実行する前に、前記印刷装置のシャットダウンが成功したことを前記情報処理装置に通知する通知手段を更に有する、ことを特徴とする請求項１乃至３の何れか１項に記載の印刷制御装置。
【請求項５】
前記第２の指示に対する応答を受信せずに所定時間が経過した場合に、所定処理を実行する実行手段を更に有する、ことを特徴とする請求項１乃至４の何れか１項に記載の印刷制御装置。
【請求項６】
前記所定時間は、予め装置に設定された値であることを特徴とする請求項５に記載の印刷制御装置。
【請求項７】
前記所定時間は、ユーザによって任意に設定された値であることを特徴とする請求項５に記載の印刷制御装置。
【請求項８】
前記所定処理は、前記印刷装置を強制的にシャットダウンさせてから、前記印刷制御装置をシャットダウンさせる処理であることを特徴とする請求項５乃至７の何れか１項に記載の印刷制御装置。
【請求項９】
前記所定処理は、前記印刷装置をシャットダウンさせずに、前記印刷制御装置をシャットダウンさせる処理であることを特徴とする請求項５乃至７の何れか１項に記載の印刷制御装置。
【請求項１０】
前記所定処理は、前記印刷装置及び前記印刷制御装置を何れもシャットダウンさせずに、シャットダウンを中止する処理であることを特徴とする請求項５乃至７の何れか１項に記載の印刷制御装置。
【請求項１１】
ユーザの指示に従って、複数の所定処理の中から実行すべき所定処理を選択する選択手段を更に有することを特徴とする請求項５乃至１０の何れか１項に記載の印刷制御装置。  
【請求項１２】
前記選択手段は、前記受信手段が前記第１の指示を受信する前に、前記所定処理を選択することを特徴とする請求項１１に記載の印刷制御装置。
【請求項１３】
前記選択手段は、前記実行手段が前記前記所定処理を実行する前に、前記所定処理を選択することを特徴とする請求項１１に記載の印刷制御装置。
【請求項１４】
前記第２の指示を送信しないと決定した場合、前記送信手段は、前記情報処理装置に前記印刷装置のシャットダウンが失敗したことを通知する、ことを特徴とする請求項１乃至１３の何れか１項に記載の印刷制御装置。
【請求項１５】
前記送信手段は、前記取得手段によって取得された前記印刷装置のデバイス情報に基づいて、前記第２の指示を送信しないと決定した場合に、前記第１受信手段が前記第１の指示を受信したことに基づいては、前記前記第２の指示を前記印刷装置に送信しない、ことを特徴とする請求項１乃至１４の何れか１項に記載の印刷制御装置。
【請求項１６】
情報処理装置及び印刷装置と通信可能な印刷制御装置の制御方法であって、
前記印刷装置及び前記印刷制御装置をシャットダウンさせるための第１の指示を前記情報処理装置から受信する第１受信工程と、
前記印刷装置から前記印刷装置のデバイス情報を取得する取得工程と、
前記取得工程で取得された前記印刷装置のデバイス情報に基づいて、前記印刷装置をシャットダウンさせるための第２の指示を送信するかどうかを決定し、前記第２の指示を送信すると決定した場合に前記第２の指示を前記印刷装置に送信する送信工程と、
前記送信工程で送信された前記第２の指示に対する応答を、前記印刷装置から受信する第２受信工程と、
前記第２受信工程で前記第２の指示に対する応答を受信したことに基づいて、前記印刷制御装置のシャットダウンを実行する実行工程と、を有することを特徴とする制御方法。
【請求項１７】
情報処理装置及び印刷装置と通信可能な印刷制御装置であって、
前記印刷装置及び前記印刷制御装置をシャットダウンさせるための第１の指示を前記情報処理装置から受信する第１受信手段と、
前記印刷装置から前記印刷装置のデバイス情報を取得する取得手段と、
前記第１受信手段が前記第１の指示を受信したことに基づいて、前記印刷装置をシャットダウンさせるための第２の指示を前記印刷装置に送信する送信手段と、
前記送信手段によって送信された前記第２の指示に対する応答を、前記印刷装置から受信する第２受信手段と、
前記第２受信手段が前記第２の指示に対する応答を受信したことに基づいて、前記印刷制御装置のシャットダウンを実行する実行手段と、を有し、
前記取得手段によって取得された前記印刷装置のデバイス情報に基づいて、前記印刷装置がシャットダウン可能かどうかを判断し、前記印刷装置がシャットダウン可能でない場合に、前記情報処理装置に前記印刷装置のシャットダウンが失敗したことを示す情報を送信する、ことを特徴とする印刷制御装置。
【請求項１８】
前記送信手段は、一定間隔で前記第２の指示を送信し続ける、ことを特徴とする請求項１７に記載の印刷制御装置。
【請求項１９】
前記デバイス情報は、前記印刷装置におけるジョブの実行状況を示す情報、及び、前記印刷装置がリモートシャットダウン可能であるか否かを示す情報、の少なくとも１つを含む、ことを特徴とする請求項１７又は１８に記載の印刷制御装置。
【請求項２０】
前記実行手段が前記印刷制御装置のシャットダウンを実行する前に、前記印刷装置のシャットダウンが成功したことを前記情報処理装置に通知する通知手段を更に有する、ことを特徴とする請求項１７乃至１９の何れか１項に記載の印刷制御装置。
【請求項２１】
前記第２の指示に対する応答を受信せずに所定時間が経過した場合に、所定処理を実行する実行手段を更に有する、ことを特徴とする請求項１７乃至２０の何れか１項に記載の印刷制御装置。
【請求項２２】
前記所定時間は、予め装置に設定された値であることを特徴とする請求項２１に記載の印刷制御装置。
【請求項２３】
前記所定時間は、ユーザによって任意に設定された値であることを特徴とする請求項２１に記載の印刷制御装置。
【請求項２４】
前記所定処理は、前記印刷装置を強制的にシャットダウンさせてから、前記印刷制御装置をシャットダウンさせる処理であることを特徴とする請求項１７乃至２３の何れか１項に記載の印刷制御装置。
【請求項２５】
前記所定処理は、前記印刷装置をシャットダウンさせずに、前記印刷制御装置をシャットダウンさせる処理であることを特徴とする請求項２１乃至２４の何れか１項に記載の印刷制御装置。
【請求項２６】
前記所定処理は、前記印刷装置及び前記印刷制御装置を何れもシャットダウンさせずに、シャットダウンを中止する処理であることを特徴とする請求項２１乃至２４の何れか１項に記載の印刷制御装置。
【請求項２７】
ユーザの指示に従って、複数の所定処理の中から実行すべき所定処理を選択する選択手段を更に有することを特徴とする請求項２１乃至２６の何れか１項に記載の印刷制御装置。  
【請求項２８】
前記選択手段は、前記受信手段が前記第１の指示を受信する前に、前記所定処理を選択することを特徴とする請求項２７に記載の印刷制御装置。
【請求項２９】
前記選択手段は、前記実行手段が前記前記所定処理を実行する前に、前記所定処理を選択することを特徴とする請求項２７に記載の印刷制御装置。
【請求項３０】
前記第２の指示を送信しないと決定した場合、前記送信手段は、前記情報処理装置に前記印刷装置のシャットダウンが失敗したことを通知する、ことを特徴とする請求項１７乃至２９の何れか１項に記載の印刷制御装置。
【請求項３１】
前記送信手段は、前記取得手段によって取得された前記印刷装置のデバイス情報に基づいて、前記第２の指示を送信しないと決定した場合に、前記第１受信手段が前記第１の指示を受信したことに基づいては、前記前記第２の指示を前記印刷装置に送信しない、ことを特徴とする請求項１７乃至３０の何れか１項に記載の印刷制御装置。
【請求項３２】
印刷装置と、前記印刷装置及び情報処理装置と通信可能な印刷制御装置と、を備える印刷システムであって、
前記印刷制御装置は、
前記印刷装置及び前記印刷制御装置をシャットダウンさせるための第１の指示を前記情報処理装置から受信する第１受信手段と、
前記印刷装置から前記印刷装置のデバイス情報を取得する取得手段と、
前記第１受信手段が前記第１の指示を受信したことに基づいて、前記印刷装置をシャットダウンさせるための第２の指示を前記印刷装置に送信する第１送信手段と、を有し、
前記印刷装置は、
前記第１送信手段によって送信された前記第２の指示を受け付ける受付手段と、
前記受付手段によって受け付けられた前記第２の指示に対する応答を前記印刷制御装置に送信する第２送信手段と、を有し、
前記印刷制御装置は、さらに、
前記第２送信手段によって送信された前記応答を受信する第２受信手段と、
前記第２受信手段が前記第２の指示に対する応答を受信したことに基づいて、前記印刷制御装置のシャットダウンを実行する実行手段と、を有し、
前記送信手段は、前記取得手段によって取得された前記印刷装置のデバイス情報に基づいて、前記第２の指示を送信するかどうかを決定し、前記第２の指示を送信すると決定した場合に前記第２の指示を前記印刷装置に送信する、ことを特徴とする印刷システム。
【請求項３３】
印刷装置と、前記印刷装置及び情報処理装置と通信可能な印刷制御装置と、を備える印刷システムであって、
前記印刷制御装置は、
前記印刷装置及び前記印刷制御装置をシャットダウンさせるための第１の指示を前記情報処理装置から受信する第１受信手段と、
前記印刷装置から前記印刷装置のデバイス情報を取得する取得手段と、
前記第１受信手段が前記第１の指示を受信したことに基づいて、前記印刷装置をシャットダウンさせるための第２の指示を前記印刷装置に送信する第１送信手段と、を有し、
前記印刷装置は、
前記第１送信手段によって送信された前記第２の指示を受け付ける受付手段と、
前記受付手段によって受け付けられた前記第２の指示に対する応答を前記印刷制御装置に送信する第２送信手段と、を有し、
前記印刷制御装置は、さらに、
前記第２送信手段によって送信された前記応答を受信する第２受信手段と、
前記第２受信手段が前記第２の指示に対する応答を受信したことに基づいて、前記印刷制御装置のシャットダウンを実行する実行手段と、を有し、
前記取得手段によって取得された前記印刷装置のデバイス情報に基づいて、前記印刷装置がシャットダウン可能かどうかを判断し、前記印刷装置がシャットダウン可能でない場合に、前記情報処理装置に前記印刷装置のシャットダウンが失敗したことを示す情報を送信する、ことを特徴とする印刷システム。
【手続補正２】
【補正対象書類名】明細書
【補正対象項目名】０００８
【補正方法】変更
【補正の内容】
【０００８】
本願発明は、情報処理装置及び印刷装置と通信可能な印刷制御装置であって、前記印刷装置及び前記印刷制御装置をシャットダウンさせるための第１の指示を前記情報処理装置から受信する第１受信手段と、前記印刷装置から前記印刷装置のデバイス情報を取得する取得手段と、前記第１受信手段が前記第１の指示を受信したことに基づいて、前記印刷装置をシャットダウンさせるための第２の指示を前記印刷装置に送信する送信手段と、前記送信手段によって送信された前記第２の指示に対する応答を、前記印刷装置から受信する第２受信手段と、前記第２受信手段が前記第２の指示に対する応答を受信したことに基づいて、前記印刷制御装置のシャットダウンを実行する実行手段と、を有し、前記送信手段は、前記取得手段によって取得された前記印刷装置のデバイス情報に基づいて、前記第２の指示を送信するかどうかを決定し、前記第２の指示を送信すると決定した場合に前記第２の指示を前記印刷装置に送信する、ことを特徴とする。